(57)【要約】【課題】ノズル側を把持している消火活動者の感電を効果的に抑制することのできる消防設備を提供する。【解決手段】  消防用ホース３０の一端部にノズル４２を接続し、消防用ホース３０の他端部を水源に接続する消防設備であって、ノズル４２を電気的に接地する第１接地手段５０が備えられている。【選択図】図１
2018099282.tif 000002
【特許請求の範囲】
【請求項１】
消防用ホースの一端部にノズルを接続し、前記消防用ホースの他端部を水源に接続する消防設備であって、
前記ノズルを電気的に接地する第１接地手段が備えられている消防設備。
【請求項２】
前記消防用ホースと前記水源との間の給水路に設けられた開閉部を電気的に接地する第２接地手段が備えられている請求項１記載の消防設備。
【請求項３】
前記消防用ホースには、前記第１接地手段のアース用導電経路の一部を構成する状態で前記ノズルと前記開閉部とを電気的に接続するアース線が配設され、
前記第１接地手段のアース用導電経路の残部は、前記第２接地手段のアース用導電経路をもって構成されている請求項２記載の消防設備。
【請求項４】
請求項１〜３のいずれか１項に記載の消防設備に用いられる前記消防用ホースであって、
ホース径方向で層状に構成される複数のホース構成層の外面側又は内面側若しくは層間に前記第１接地手段のアース用導電経路の一部を構成するアース線が配設されている消防用ホース。
【請求項５】
前記複数のホース構成層は、ホース本体とこれの外面又は内面に密着状態で被覆形成される保護層とを備え、
前記ホース本体と前記保護層との層間に前記アース線が配設されている請求項４記載の消防用ホース。
【請求項６】
前記複数のホース構成層は、内側ホース体とこれに外套される外側ホース体とを備え、
前記内側ホース体と前記外側ホース体との層間に前記アース線が配設されている請求項４記載の消防用ホース。
【発明の詳細な説明】
【技術分野】
【０００１】
本発明は、消防用ホースの一端部にノズルを接続し、前記消防用ホースの他端部を水源に接続する消防設備及びそれに用いられる消防用ホースに関する。
【背景技術】
【０００２】
近年、再生可能エネルギーの一つである太陽熱を利用した太陽光発電システムが一般住宅において急速に普及が進み、住宅以外でも産業用分野や公共施設分野等において導入が進んでいる。この太陽光発電システムは、太陽電池モジュール(太陽光パネル)により光エネルギーを電気エネルギーに変換しているため、外部から発電を遮断できない。そのため、太陽光発電システム又はそれを備えた建物の火災が発生した際、水を使った消火活動が行われるが、このとき、非特許文献１の「5.2  消防活動の危険性」の「（１）感電の危険性」において、棒状放水で水が粒にならずに建物等に掛かる場合は、この棒状放水を伝わって消火活動者（消防隊員、建物使用者（施設管理人や保安員等））が感電する可能性が指摘されている。
【０００３】
上述の消防活動時の感電の防止対策として、太陽電池モジュールの表面を不燃性の遮光シートで覆って遮光し、太陽電池モジュールの出力電圧を低下させてから消火活動を開始する対策案、或いは、太陽電池モジュール等を物理的に破壊してから消火活動を開始する対策案が考えられる。
【先行技術文献】
【非特許文献】
【０００４】
【非特許文献１】第１６回消防防災研究講演会資料（平成２５年２月）「太陽光発電システムを設置した住宅の火災と消防活動の問題点」消防研究センター
【発明の概要】
【発明が解決しようとする課題】
【０００５】
しかし、前者の対策案では、太陽電池モジュールの表面を遮光シートで覆うまでに火災が進行し、且つ、遮光シートによる被覆作業中の消火活動者の安全を確保することができない不都合がある。
また、後者の対策案では、太陽電池モジュール等の破壊時に感電するリスクがあり、且つ、太陽電池モジュール等の破壊完了までに火災が進行する不都合がある。さらに、消火後に、太陽電池モジュール等を含む太陽光発電システムの再設置によるコスト負担が増加する問題もある。
【０００６】
そのため、現状での対策としては、放水時に距離をとる、噴霧放水を行う、絶縁性の高い手袋を使用する等の対策が講じられているが、いずれの対策も、太陽電池モジュールに放水したときに感電するリスクは残っている。
また、上述の消防活動時の感電の問題は、太陽光発電システム以外の電気設備や電気自動車、燃料電池自動車等の活線部を備えた消火対象域の放水時においても発生する可能性がある。
【０００７】
この実情に鑑み、本発明の主たる課題は、ノズルを含む管鎗を把持している消火活動者の感電を防ぐことのできる消防設備及びそれに用いられる有用な消防用ホースを提供する点にある。
【課題を解決するための手段】
【０００８】
本発明による第１特徴構成は、消防用ホースの一端部にノズルを接続し、前記消防用ホースの他端部を水源に接続する消防設備であって、
前記ノズルを電気的に接地する第１接地手段が備えられている点にある。
【０００９】
上記構成によれば、消火対象域への放水消火時に、消火対象域中に存在する電気設備等の活線部とノズルとが棒状放水を介して電気的に接続状態になり、活線部から棒状放水を介してノズルに漏洩電流が流れる可能性がある。このとき、ノズルに流れた漏洩電流を第１接地手段で大地にスムーズに放電することができるので、ノズルを含む管鎗を把持している消火活動者の感電を防ぐことができる。
【００１０】
本発明による第２特徴構成は、前記消防用ホースと前記水源との間の給水路に設けられた開閉部を電気的に接地する第２接地手段が備えられている点にある。
【００１１】
上記構成によれば、消火活動時に、消防用ホースと水源との間の給水路に設けられた開閉部に漏洩電流が流れる可能性がある。このとき、開閉部に流れた漏洩電流を第２接地手段で大地にスムーズに放電することができるので、開閉部を開閉操作している消火活動者の感電を防ぐことができる。
【００１２】
本発明による第３特徴構成は、前記消防用ホースには、前記第１接地手段のアース用導電経路の一部を構成する状態で前記ノズルと前記開閉部とを電気的に接続するアース線が配設され、
前記第１接地手段のアース用導電経路の残部は、前記第２接地手段のアース用導電経路をもって構成されている点にある。
【００１３】
上記構成によれば、消火対象域への放水消火時に、ノズルに流れた漏洩電流を、第１接地手段のアース用導電経路の一部を構成する状態で消防用ホースに配設されたアース線、開閉部、第２接地手段のアース用導電経路を経由して大地に放電することができる。それ故に、ノズルを電気的に接地する第１接地手段及び開閉部を電気的に接地する第２接地手段をそれぞれ別系統で単独に構成する場合に比較して、消火活動者の感電を防ぐことのできる消防設備を構造面、コスト面で有利に構成することができる。
【００１４】
本発明による第４特徴構成は、第１特徴構成〜第３特徴構成のいずれか１つに記載の消防設備に用いられる前記消防用ホースであって、
ホース径方向で層状に構成される複数のホース構成層の外面側又は内面側若しくは層間に前記第１接地手段のアース用導電経路の一部を構成するアース線が配設されている点にある。
【００１５】
上記構成によれば、複数のホース構成層で構成される消防用ホースの外面側又は内面側若しくはホース構成層の層間を利用してアース線を適切に配設することができる。
【００１６】
本発明による第５特徴構成は、前記複数のホース構成層は、ホース本体とこれの外面又は内面に密着状態で被覆形成される保護層とを備え、
前記ホース本体と前記保護層との層間に前記アース線が配設されている点にある。
【００１７】
上記構成によれば、ホース本体の外面又は内面を密着状態で保護する保護層でアース線も同時に保護することができるので、アース線の被覆構造の簡素化を図ることができ、且つ、保護層の密着力でアース線を所定位置に確実に保持することができる。
【００１８】
本発明による第６の特徴構成は、前記複数のホース構成層は、内側ホース体とこれに外套される外側ホース体とを備え、
前記内側ホース体と前記外側ホース体との層間に前記アース線が配設されている点にある。
【００１９】
上記構成によれば、消防用ホースの耐磨耗性を高めるための外側ホース体でアース線を保護することができるとともに、内側ホース体に外側ホース体を外套するときにアース線の配設を完了することができる。
【図面の簡単な説明】
【００２０】
【図１】消防設備の第１実施形態を示す説明図
【図２】消防設備の第１実施形態を示す要部の拡大図
【図３】図２におけるＩＩＩ−ＩＩＩ線での要部の拡大断面図
【図４】消防設備の第２実施形態を示す説明図
【図５】消防設備の第３実施形態を示す説明図
【図６】消防設備の第４実施形態(ａ)〜第８実施形態（ｅ）をそれぞれ示す拡大断面図
【図７】消防設備の第９実施形態を示す斜視図
【発明を実施するための形態】
【００２１】
〔第１実施形態〕
図１は、電気設備等の活線部の一例である太陽光発電システム２００の太陽電池モジュール（太陽光パネル）２０１の火災を想定した本発明の消防設備１００の説明図である。本実施形態の消防設備１００では、水源として消火栓内蔵型格納箱１内に装備されている消火栓２０が用いられ、消火栓２０の給水管２１には、建築物の地下等に設置されている図外の防火水槽や地中に埋設される水道管等から消火栓２０の送水口に至る給水路を開閉する開閉部としての金属製の開閉弁２２が設けられている。
この開閉弁２２の送水口には、複数のホース構成層で構成される可撓性の消防用ホース３０の基端部が接続され、消防用ホース３０の先端部には、ノズル４２を備えた金属製（アルミ合金製又は銅合金製等）の管鎗４０が接続されている。
【００２２】
そして、本実施形態の消防設備１００には、図１、図２に示すように、ノズル４２を含む管鎗４０を電気的に接地する第１接地手段５０と、消火栓２０の開閉弁２２を電気的に接地する第２接地手段６０とが備えられている。消防用ホース３０には、第１接地手段５０のアース用導電経路５１の一部を構成する状態でノズル４２を含む管鎗４０と開閉弁２２とを電気的に接続するアース線７０が配設され、第１接地手段５０のアース用導電経路５１の残部は、第２接地手段６０のアース用導電経路６１をもって構成されている。
【００２３】
そのため、消火対象域への放水消火時に、消火対象域中に存在する太陽光発電システム２００の太陽電池モジュール２０１と管鎗４０のノズル４２とが棒状放水を介して電気的に接続状態になり、太陽電池モジュール２０１側から棒状放水を介して管鎗４０のノズル４２に漏洩電流が流れたときでも、管鎗４０のノズル４２に流れた漏洩電流を第１接地手段５０のアース用導電経路５１を経由して大地にスムーズに放電することができ、管鎗４０を把持している消火活動者の感電を防ぐことができる。
また、消火活動時に、開閉弁２２に漏洩電流が流れたときも、開閉弁２２に流れた漏洩電流を第２接地手段６０のアース用導電経路６１を経由して大地にスムーズに放電することができ、開閉弁２２を開閉操作している消火活動者の感電を防ぐことができる。
【００２４】
しかも、管鎗４０のノズル４２に流れた漏洩電流を、第１接地手段５０のアース用導電経路５１の一部を構成する状態で消防用ホース３０に配設されたアース線７０、開閉弁２２、第２接地手段６０のアース用導電経路６１を経由して大地に放電することができる。それ故に、消火活動者の感電を防ぐことのできる消防設備１００を、ノズル４２を含む管鎗４０を電気的に接地する第１接地手段５０と開閉弁２２を電気的に接地する第２接地手段６０とをそれぞれ別系統で独立して構成する場合に比較して構造面、コスト面で有利に構成することができる。
【００２５】
管鎗４０は、図２に示すように、先細り状のテーパーパイプ状に形成された金属製の管鎗本体４１と、この管鎗本体４１の先端部に水密状態で嵌合接続された先絞り状の金属製のノズル４２と、管鎗本体４１の基端部に水密状態で嵌合固定された金属製の円筒状の受け金具４５とを主要構成として備えている。
ノズル４２と管鎗本体４１の先端部との嵌合接続部、及び管鎗本体４１の基端部と受け金具４５との嵌合固定部の各々は、通電可能な導電接続状態に構成されている。そのため、管鎗４０のノズル４２に流れた漏洩電流は、ノズル４２→嵌合接続部→管鎗本体４１→嵌合固定部→受け金具４５に沿って流れる。
【００２６】
消火活動時の管鎗４０の把持部となる管鎗本体４１の外周面には、滑り止め機能を有する紐やゴム等の電気絶縁材料で製作される第１絶縁被覆層４３が被覆形成されているとともに、受け金具４５の外周面の最大外径部位には、同じく滑り止め機能を有するゴム等の電気絶縁材料で製作される第２絶縁被覆層４４が被覆形成されている。
また、消火栓２０の開閉弁２２の開閉用の操作ハンドル２２Ａの把持部にも、滑り止め機能を有するゴム等の電気絶縁材料で製作される第３絶縁被覆層２４が被覆形成されている。
【００２７】
そして、図１、図２に示すように、消防用ホース３０の一端部には金属製の円筒状の受け金具３１が設けられ、消防用ホース３０の他端部には金属製の円筒状の差し金具３２が設けられている。
消防用ホース３０の他端部の差し金具３２は、図２に示すように、管鎗４０の後端部の受け金具４５に脱着自在に差込結合され、この差込結合状態では、消防用ホース３０の差し金具３２と管鎗４０の受け金具４５とが通電可能な導電接続状態に構成されている。この導電接続状態にある消防用ホース３０の差し金具３２と管鎗４０の受け金具４５とをもって、第１接地手段５０のアース用導電経路５１の一部としてのホース先端結合側導電経路部５１Ａが構成されている。
【００２８】
消防用ホース３０の一端部の受け金具３１は、図２に示すように、消火栓２０の開閉弁２２の送水口に設けた金属製の円筒状の差し金具２３に脱着自在に差込結合され、この差込結合状態では、消防用ホース３０の受け金具３１と開閉弁２２の差し金具２３とが通電可能な導電接続状態に構成されている。この導電接続状態にある消防用ホース３０の受け金具３１と開閉弁２２の差し金具２３とをもって、第１接地手段５０のアース用導電経路５１の一部としてのホース基端結合側導電経路部５１Ｂが構成されている。
【００２９】
また、消防用ホース３０が継ぎ足される場合には、接続対象の一方の消防用ホース３０の受け金具３１が他方の消防用ホース３０の差し金具３２に脱着自在に差込結合され、この差込結合状態では、一方の消防用ホース３０の受け金具３１と他方の消防用ホース３０の差し金具３２とが通電可能な導電接続状態に構成されている。この導電接続状態にある一方の消防用ホース３０の受け金具３１と他方の消防用ホース３０の差し金具３２とをもって、第１接地手段５０のアース用導電経路５１の一部としてのホース中間結合側導電経路部５１Ｃが構成されている。
【００３０】
本願発明が対象とする消防用ホース３０は、消防用平ホースと消防用濡れホースと消防用保形ホースとに分類される。さらに、消防用平ホースは、平ホース、外面塗装ホース、ダブルジャケットホース、外面被覆ホースに分類される。本願発明の消防設備１００においては、上述の何れの消防用ホース３０も好適に用いることができるが、本実施形態においては、消防用ホース３０として平ホースを用いている。
【００３１】
この平ホースのホース本体は、図３に示すように、綿、合成繊維等の糸を経糸３０ａと緯糸３０ｂにして交織（平織）した筒状のジャケット（筒状の織物）３０Ａから構成されている。このジャケット３０Ａの内面には、当該内面に密着状態で被覆形成される保護層の一例で、送水時に漏水を防ぐためのゴムや合成樹脂等の筒状のライニング層３０Ｂが接着剤等で密着形成されている。また、ジャケット３０Ａの外面には、当該外面に密着状態で被覆形成される保護層の一例で、耐摩耗性の樹脂を塗布してなるコーティング層（又はカバリング層）３０Ｃが密着形成されている。
そのため、上述の平ホースでは、コーティング層３０Ｃとホース本体を構成するジャケット３０Ａとライニング層３０Ｂとが外面側から内面側にかけて順番に配置された三層構造のホース構成層から構成されている。
【００３２】
そして、図２、図３に示すように、ジャケット３０Ａの外面とコーティング層３０Ｃとの間には、第１接地手段５０のアース用導電経路５１の一部を構成するアース線７０が、消防用ホース３０の全長に亘って配設され、アース線７０の両端部は、消防用ホース３０の両端部の差し金具３２及び受け金具３１に通電可能に導電接続されている。
そのため、消防用ホース３０の全長に亘って配設されたアース線７０をもって、第１接地手段５０のアース用導電経路５１の一部であるホース側導電経路部５１Ｄが構成されている。
また、上述の構成により、ジャケット３０Ａの外面を密着状態で保護する耐摩耗性のコーティング層３０Ｃでアース線７０も同時に保護することができるので、アース線７０の被覆構造の簡素化を図ることができる。
【００３３】
尚、本実施形態においては、ジャケット３０Ａの外面とコーティング層３０Ｃとの間にアース線７０を配設したが、このアース線７０を消防用ホース３０のコーティング層３０Ｃの外面に接着剤やバンド等で配設してもよい。
【００３４】
そして、図２に示すように、第１接地手段５０のアース用導電経路５１における消火栓２０の開閉弁２２までの一部は、管鎗４０、下流側の消防用ホース３０における差し金具３２、アース線７０、受け金具３１、上流側の消防用ホース３０における差し金具３２、アース線７０、受け金具３１をもって構成され、上流側の消防用ホース３０の受け金具３１は、開閉弁２２の差し金具２３に導電接続状態で差込結合されている。
そのため、第１接地手段５０のアース用導電経路５１の残部は、第２接地手段６０のアース用導電経路６１をもって兼用構成されている。
第２接地手段６０のアース用導電経路６１は、開閉弁２２に導電接続されている第１接地線６２と、地中の所定深さに埋設された接地電極６３に導電接続されている第２接地線６４とを端子箱６５で通電可能に電気的に接続して構成されている。
【００３５】
尚、図１中の２０２は太陽光発電システム２００の接続箱、２０３は太陽光発電システム２００のパワーコンディショナである。
【００３６】
また、上述の実施形態では、第１接地手段５０のアース用導電経路５１における一部を、第２接地手段６０のアース用導電経路６１をもって兼用構成したが、ノズル４２を含む管鎗４０を電気的に接地する第１接地手段５０のアース用導電経路５１と、開閉弁２２を電気的に接地する第２接地手段６０のアース用導電経路６１とをそれぞれ別系統で独立して構成してもよい。
【００３７】
さらに、第１接地手段５０のアース用導電経路５１を独立して構成する場合において、上流側の消防用ホース３０の差し金具３２と下流側の消防用ホース３０の受け金具３１との差込結合をもって構成されるホース中間結合側導電経路部５１Ｃを、地中の所定深さに埋設されている接地電極６３に通電可能に導電接続して実施してもよい。
【００３８】
また、上述の実施形態の消火栓内蔵型格納箱１は、屋内消火栓又は屋外消火栓のいずれでもよい。さらに、この消火栓内蔵型格納箱１の代わりに地上式消火栓や地下式消火栓等を用いてもよい。
【００３９】
〔第２実施形態〕
図４は別実施形態の消防設備１００を示す。この消防設備１００では、水源として、地中に埋設された水道管１０に接続され、且つ、マンホール１１内に配置された金属製の地下式の消火栓２０が用いられている。消火栓２０には、水道管１０から消火栓２０の送水口に至る給水路を開閉する開閉部としての金属製の開閉弁２２が設けられている。
消火栓２０には、地中の所定深さに埋設された接地電極６３に導電接続されている第３接地線６６が通電可能に電気的に接続されている。
【００４０】
また、消防ポンプ自動車３００の給水口３０１と消火栓２０の開閉弁２２の送水口とは、第１実施形態で説明したアース線７０を備えた消防用ホース３０で接続され、消防ポンプ自動車３００の放水口３０２には、アース線７０を備えた二本（ホース本数は一本又は三本以上の複数本であってもよい）の消防用ホース３０が接続されている。そのうち、下流側の消防用ホース３０の先端部には、ノズル４２を備えた金属製の管鎗４０が接続されている。
給水側の消防用ホース３０のアース線７０と放水側となる上流側の消防用ホース３０のアース線７０とは、消防ポンプ自動車３００側の導電接続部（図示せず）を介して通電可能に電気的に接続され、さらに、給水側の消防用ホース３０のアース線７０と消火栓２０とも通電可能に電気的に接続されている。
【００４１】
そして、ノズル４２を含む管鎗４０を電気的に接地する第１接地手段５０のアース用導電経路５１は、管鎗４０、放水側となる下流側の消防用ホース３０における差し金具３２、アース線７０、受け金具３１、同じく放水側となる上流側の消防用ホース３０における差し金具３２、アース線７０、消防ポンプ自動車３００側の導電接続部（図示せず）、給水側の消防用ホース３０のアース線７０をもって主要部が構成されている。
また、消火栓２０の開閉弁２２を電気的に接地する第２接地手段６０のアース用導電経路６１は、消火栓２０と第３接地線６６と接地電極６３とをもって主要部が構成されている。
この第２実施形態においても、第１接地手段５０のアース用導電経路５１の残部は、第２接地手段６０のアース用導電経路６１をもって兼用構成されている。
尚、その他の構成は、第１実施形態で説明した構成と同一であるから、同一の構成箇所には、第１実施形態と同一の番号を付記してそれの説明は省略する。
また、消防ポンプ自動車３００の代わりに水槽付消防車を用いてもよい。
【００４２】
〔第３実施形態〕
図５は別実施形態の消防設備１００を示す。この消防設備１００では、水源として、地中に埋設された防火水槽８０が用いられている。
消防ポンプ自動車３００の給水口３０１には、第１実施形態で説明したアース線７０を備えた消防用ホース３０の基端部が接続され、この消防用ホース３０の先端部側の差し金具３２には、アース線７０を備えていない通常の消防用ホース３５の基端部に設けた受け金具３１が接続されている。そのうち、通常の消防用ホース３５の給水口部３５Ａを防火水槽８０の取水口８０Ａから槽内の水中に挿入する。
また、防火水槽８０の取水口８０Ａの周囲の所定部位には、地中の所定深さに埋設された接地電極６３に第４接地線６７を介して通電可能に電気的に接続された端子箱６５を設け、この端子箱６５に、給水側のアース線７０を備えた消防用ホース３０の差し金具３２を通電可能に電気的に接続する。
【００４３】
消防ポンプ自動車３００の放水口３０２には、アース線７０を備えた二本（ホース本数は一本又は三本以上の複数本であってもよい）の消防用ホース３０が接続され、そのうち、下流側の消防用ホース３０の先端部には、ノズル４２を備えた金属製の管鎗４０が接続されている。
給水側の消防用ホース３０のアース線７０と放水側における上流側の消防用ホース３０のアース線７０とは、消防ポンプ自動車３００側の導電接続部（図示せず）を介して通電可能に電気的に接続され、さらに、給水側のアース線７０を備えた消防用ホース３０の差し金具３２と端子箱６５とが通電可能に電気的に接続されている。
【００４４】
そして、ノズル４２を含む管鎗４０を電気的に接地する第１接地手段５０のアース用導電経路５１は、管鎗４０、放水側となる下流側の消防用ホース３０における差し金具３２、アース線７０、受け金具３１、同じく放水側となる上流側の消防用ホース３０における差し金具３２、アース線７０、消防ポンプ自動車３００側の導電接続部（図示せず）、給水側の消防用ホース３０のアース線７０、差し金具３２、第４接地線６７、接地電極６３をもって主要部が構成されている。
【００４５】
尚、上述の第３実施形態の消防設備１００では、ノズル４２を含む管鎗４０を電気的に接地する第１接地手段５０のみが設けられた実施形態を提示している。
尚、その他の構成は、第１実施形態で説明した構成と同一であるから、同一の構成箇所には、第１実施形態と同一の番号を付記してそれの説明は省略する。
【００４６】
〔その他の実施形態〕
（１）図６は、消防用ホース３０に対するアース線７０の配置を代えた別実施形態を示す。
図６（ａ）に示す第４実施形態では、ジャケット３０Ａの内面を保護するライニング層３０Ｂに、第１接地手段５０のアース用導電経路５１の一部を構成するアース線７０を接着剤等で固着してある。
図６（ｂ）に示す第５実施形態では、消防用ホース３０の内部空間３０Ｄに、第１接地手段５０のアース用導電経路５１の一部を構成するアース線７０を挿入配置してある。
図６（ｃ）に示す第６実施形態では、ジャケット３０Ａの内面とライニング層３０Ｂとの間に、第１接地手段５０のアース用導電経路５１の一部を構成するアース線７０が配置されている。
この実施形態の場合、ジャケット３０Ａの内面を密着状態で保護するライニング層３０Ｂでアース線７０も同時に保護することができるので、アース線７０の被覆構造の簡素化を図ることができる。
図６（ｄ）に示す第７実施形態では、消防用ホース３０のジャケット３０Ａを構成する経糸３０ａの１本又は複数本が、第１接地手段５０のアース用導電経路５１の一部を構成するアース線７０に置き換えて交織（平織）されている。
この実施形態の場合、ジャケット３０Ａの編成と同時にアース線７０の配設が終了する。
図６（ｅ）に示す第８実施形態では、消防用ホース３０のジャケット３０Ａが、環状に配置された複数本の経糸３０ａと、当該経糸３０ａに対して螺旋状に織り込まれた１本又は複数本の緯糸３０ｂとからなる筒状織物から構成され、この筒状織物の緯糸３０ｂの１本又は複数本が、第１接地手段５０のアース用導電経路５１の一部を構成するアース線７０に置き換えて織成されている。
この実施形態の場合も、ジャケット３０Ａの編成と同時にアース線７０の配設が終了する。
【００４７】
（２）図７は、消防用ホース３０としてダブルジャケットホースを用いた第９実施形態を示す。この実施形態では、消防用ホース３０を構成する複数のホース構成層を、内側ホース体の一例である内側ジャケット３０Ｅとこれに外套される外側ホース体の一例である外側ジャケット３０Ｆとから構成し、内側ジャケット３０Ｅと外側ジャケット３０Ｆとの層間には、第１接地手段５０のアース用導電経路５１の一部を構成するアース線７０が配設されている。
この実施形態の場合、消防用ホース３０の耐磨耗性を高めるための外側ジャケット３０Ｆでアース線７０を保護することができるとともに、内側ジャケット３０Ｅに外側ジャケット３０Ｆを外套するときにアース線７０の配設を完了することができる。
【００４８】
（３）上述の各実施形態では、水源として消火栓２０、防火水槽８０を例に挙げたが、プール等の他の人口水利であっても良く、さらに、河川、池、沼、海等の自然水利であってもよい。
【００４９】
（４）上述の各実施形態では、水源側の地中に接地電極６３が予め埋設されている場合を例示したが、接地電極６３を備えたアース回路設備が存在しない場合には、水源側の現場において、地中の所定深さに接地電極６３を埋設し、この接地電極６３から導出されたアース栓と消防用ホース３０側のアース線７０とを接続する。
【００５０】
（５）上述の各実施形態では、第１接地手段５０のアース用導電経路５１の一部を、消防用ホース３０に設けられたアース線７０で構成したが、アース線７０を備えていない通常の消防用ホース３５の場合は、ノズル４２を備えた管鎗４０と接地電極６３とをアース線で直接電気的に接続するとよい。
【００５１】
（６）上述の各実施形態では、活線部を備えた消火対象として太陽光発電システム２００を例示したが、本発明の消防設備１００は、太陽光発電システム２００以外の電気設備や電気自動車、燃料電池自動車等の火災にも有効である。
【符号の説明】
【００５２】
２０        水源（消火栓）
２２        開閉部（開閉弁）
３０        消防用ホース
３０Ａ      ホース構成層（ホース本体、ジャケット）
３０Ｂ      ホース構成層（保護層、ライニング層）
３０Ｃ      ホース構成層（保護層、コーティング層）
３０Ｅ      内側ホース体（内側ジャケット）
３０Ｆ      外側ホース体（外側ジャケット）
４２        ノズル
５０        第１接地手段
５１        アース用導電経路
６０        第２接地手段
６１        アース用導電経路
７０        アース線
８０        水源（防火水槽）
【図１】
2018099282.tif 000003
【図２】
2018099282.tif 000004
【図３】
2018099282.tif 000005
【図４】
2018099282.tif 000006
【図５】
2018099282.tif 000007
【図６】
2018099282.tif 000008
【図７】
2018099282.tif 000009